【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】カラー画像処理装置およびカラー画像処理プログラムを記録した記録媒体
【手続補正２】
【補正対象書類名】明細書
【補正対象項目名】特許請求の範囲
【補正方法】変更
【補正の内容】
【特許請求の範囲】
【請求項１】
画像データの色調を調整する際に参照される複数の調整パラメータを設定するパラメータ設定手段と、
前記パラメータ設定手段により設定された前記調整パラメータの設定順番によらず常に同じ所定の処理手順に従い、設定された前記調整パラメータに基づく前記画像データの処理を行うものであって、かつ第１の色空間における前記画像データの処理をした後に前記第１の色空間とは異なる第２の色空間における前記画像データの処理を行うことにより前記色調の調整を行う色調調整手段とを有することを特徴とするカラー画像処理装置。
【請求項２】
請求項１に記載のカラー画像処理装置において、
前記パラメータ設定手段により設定された複数の調整パラメータの少なくとも１つを更新するパラメータ更新手段を更に有し、
前記色調調整手段は、前記パラメータ更新手段により前記調整パラメータの更新が行われた場合に更新後の調整パラメータを含む前記複数の調整パラメータに基づいて、前記画像データを処理することを特徴とするカラー画像処理装置。
【請求項３】
請求項１に記載のカラー画像処理装置において、
前記パラメータ設定手段により設定された複数の調整パラメータの少なくとも１つを更新するパラメータ更新手段と、
前記色調調整手段による前記第１の色空間における処理が行われる前の前記画像データをコピーすることによりコピー画像データを生成する画像データコピー手段とを更に有し、
前記色調調整手段は、前記パラメータ更新手段により前記第１の色空間における処理に関する前記調整パラメータの更新が行われた場合に更新後の調整パラメータを含む前記複数の調整パラメータに基づいて、前記コピー画像データを処理することを特徴するカラー画像処理装置。
【請求項４】
請求項２または３に記載のカラー画像処理装置において、
前記パラメータ設定手段により設定された前記調整パラメータを記録する第１記録装置を更に有し、
前記パラメータ更新手段は、前記第１記録装置に記録された前記調整パラメータを更新することを特徴とするカラー画像処理装置。
【請求項５】
請求項４に記載のカラー画像処理装置において、
前記パラメータ設定手段により設定された前記調整パラメータを一括して記録または読み出し可能な第２記録装置をさらに有することを特徴とするカラー画像処理装置。
【請求項６】
請求項１〜５のいずれか１項に記載のカラー画像処理装置において、
前記色調調整手段は、ひとつの色空間内における前記画像データの処理の種類数が複数の場合、前記画像データの処理を常に同じ所定の順番に従って行うことを特徴とするカラー画像処理装置。
【請求項７】
請求項１〜３のいずれか１項に記載のカラー画像処理装置において、
前記色調調整手段は、前記第１の色空間と前記第２の色空間のいずれか一方の色空間でカラーバランス処理を行い、他方の色空間で彩度補正処理と色相補正処理の少なくとも一方の処理を行うことを特徴とするカラー画像処理装置。
【請求項８】
請求項７に記載のカラー画像処理装置において、
前記色調調整手段は、前記一方の色空間で明度補正処理を行うことを特徴とするカラー画像処理装置。
【請求項９】
請求項１〜３のいずれか１項に記載のカラー画像処理装置において、
前記色調調整手段は、前記第１の色空間における前記画像データを前記第２の色空間における前記画像データに変換すると同時にガンマ補正処理を行うことを特徴とするカラー画像処理装置。
【請求項１０】
請求項１〜３のいずれか１項に記載のカラー画像処理装置において、
前記色調調整手段により調整された前記画像データの画像を表示装置に表示させる表示制御手段を更に有することを特徴とするカラー画像処理装置。
【請求項１１】
請求項１０に記載のカラー画像処理装置において、
前記表示制御手段は、前記色調調整手段により調整された前記画像データを前記表示装置用の色空間の画像データに変換する変換手段を含むことを特徴とするカラー画像処理装置。
【請求項１２】
請求項１〜３のいずれか１項に記載のカラー画像処理装置において、
画像の印刷を指示する印刷指示手段と、
前記印刷指示手段の指示に基づいて前記色調調整手段により色調の調整が行われた後の前記画像データに対応する画像を印刷装置に印刷させる印刷制御手段とを更に有することを特徴とするカラー画像処理装置。
【請求項１３】
画像データを入力する処理と、
前記画像データの色調を調整する際に参照する複数の調整パラメータを設定するパラメータ設定処理と、
前記複数の調整パラメータの設定順番によらず前記調整パラメータに基づいて第１の色空間において前記画像データの第１色調調整を行う第１の色調調整処理と、
前記第１の色調調整処理の後に複数の調整パラメータの設定順番によらず前記調整パラメータに基づいて前記第１の色空間とは異なる第２の色空間において前記画像データの第２色調調整を行う第２の色調調整処理とをコンピュータ装置に実行させることを特徴とするカラー画像処理プログラムを記録した記録媒体。
【請求項１４】
請求項１３に記載のカラー画像処理プログラムを記録した記録媒体において、
指示に応じて複数の調整パラメータの少なくとも１つを更新する前記パラメータ更新処理を更に実行させ、
前記第１の色調調整処理および前記第２の色調調整処理は、前記調整パラメータを更新した場合に更新後の調整パラメータを含む前記複数の調整パラメータに基づいて、前記画像データの色調調整を行うことを特徴とするカラー画像処理プログラムを記録した記録媒体。
【請求項１５】
請求項１３に記載のカラー画像処理プログラムを記録した記録媒体において、
前記第１の色調調整処理前の前記画像データをコピーする画像データコピー処理と、
指示に応じて複数の調整パラメータの少なくとも１つを更新する前記パラメータ更新処理とを更に実行させ、
前記第１の色調調整処理は、前記パラメータ更新処理で前記第１の色調調整処理に関する前記調整パラメータを更新した場合に更新後の調整パラメータを含む前記複数の調整パラメータに基づいて、前記コピーした前記画像データの第１色調調整を行うことを特徴とするカラー画像処理プログラムを記録した記録媒体。
【請求項１６】
請求項１４または１５に記載のカラー画像処理プログラムを記録した記録媒体において、
前記パラメータ設定処理で設定した前記調整パラメータを記録する第１の記録処理を更に実行させ、
前記パラメータ更新処理は、前記第１の記録処理で記録した前記調整パラメータを更新することを特徴とするカラー画像処理プログラムを記録した記録媒体。
【請求項１７】
請求項１６に記載のカラー画像処理プログラムを記録した記録媒体において、
前記パラメータ設定処理により設定した前記調整パラメータを一括して記録する第２の記録処理または一括して読み出す読み出し処理をさらに実行させることを特徴とするカラー画像処理プログラムを記録した記録媒体。
【請求項１８】
請求項１３〜１７のいずれか１項に記載のカラー画像処理プログラムを記録した記録媒体において、
前記第１の色調調整処理および前記第２の色調調整処理は、色調調整処理の種類数が複数の場合、前記色調調整処理を常に同じ所定の順番に従って行うことを特徴とするカラー画像処理プログラムを記録した記録媒体。
【請求項１９】
請求項１３〜１５のいずれか１項に記載のカラー画像処理プログラムを記録した記録媒体において、
前記第１の色調調整処理および前記第２の色調調整処理のいずれか一方の色調調整処理でカラーバランス処理を行い、他方の色調調整処理で彩度補正処理と色相補正処理の少なくとも一方の処理を行うことを特徴とするカラー画像処理プログラムを記録した記録媒体。
【請求項２０】
請求項１９に記載のカラー画像処理プログラムを記録した記録媒体において、
前記第１の色調調整処理および前記第２の色調調整処理の一方の色調調整処理で明度補正処理を行うことを特徴とするカラー画像処理プログラムを記録した記録媒体。
【請求項２１】
請求項１３〜１５のいずれか１項に記載のカラー画像処理プログラムを記録した記録媒体において、
前記第２の色調調整処理は、前記第１の色空間における前記画像データを前記第２の色空間における前記画像データに変換すると同時にガンマ補正処理を行うことを特徴とするカラー画像処理プログラムを記録した記録媒体。
【請求項２２】
請求項１３〜１５のいずれか１項に記載のカラー画像処理プログラムを記録した記録媒体において、
前記第１および第２の色調調整処理後の前記画像データの画像を表示装置に表示させる表示制御処理を更に実行させることを特徴とするカラー画像処理プログラムを記録した記録媒体。
【請求項２３】
請求項２２に記載のカラー画像処理プログラムを記録した記録媒体において、
前記表示制御処理は、前記第１および第２の色調調整処理後の前記画像データを前記表示装置用の色空間の画像データに変換する変換処理を含むことを特徴とするカラー画像処理プログラムを記録した記録媒体。
【請求項２４】
請求項１３〜１５のいずれか１項に記載のカラー画像処理プログラムを記録した記録媒体において、
画像の印刷指示を入力する印刷指示入力処理と、
前記印刷指示に基づいて前記第１および第２の色調調整処理後の前記画像データに対応する画像を印刷装置に印刷させる印刷制御処理とを更に実行させることを特徴とするカラー画像処理プログラムを記録した記録媒体。
【手続補正３】
【補正対象書類名】明細書
【補正対象項目名】０００１
【補正方法】変更
【補正の内容】
【０００１】
【発明の属する技術分野】
本発明は、画像データに対して色調や色ずれの補正を行うカラー画像処理装置およびカラー画像処理プログラムを記録した記録媒体に関する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
【課題を解決するための手段】
（１）請求項１に記載のカラー画像処理装置は、画像データの色調を調整する際に参照される複数の調整パラメータを設定するパラメータ設定手段と、パラメータ設定手段により設定された調整パラメータの設定順番によらず常に同じ所定の処理手順に従い、設定された調整パラメータに基づく画像データの処理を行うものであって、かつ第１の色空間における画像データの処理をした後に第１の色空間とは異なる第２の色空間における画像データの処理を行うことにより色調の調整を行う色調調整手段とを有することを特徴とする。
（２）請求項１に記載のカラー画像処理装置は更に、パラメータ設定手段により設定された複数の調整パラメータの少なくとも１つを更新するパラメータ更新手段を有してもよい。この場合の色調調整手段は、パラメータ更新手段により調整パラメータの更新が行われた場合に更新後の調整パラメータを含む複数の調整パラメータに基づいて、画像データを処理することもできる。
（３）請求項１に記載のカラー画像処理装置は更に、パラメータ設定手段により設定された複数の調整パラメータの少なくとも１つを更新するパラメータ更新手段と、色調調整手段による第１の色空間における処理が行われる前の画像データをコピーすることによりコピー画像データを生成する画像データコピー手段とを有してもよい。この場合の色調調整手段は、パラメータ更新手段により第１の色空間における処理に関する調整パラメータの更新が行われた場合に更新後の調整パラメータを含む複数の調整パラメータに基づいて、コピー画像データを処理することもできる。
（４）請求項２または３に記載のカラー画像処理装置は更に、パラメータ設定手段により設定された調整パラメータを記録する第１記録装置を有してもよい。この場合のパラメータ更新手段は、第１記録装置に記録された調整パラメータを更新することもできる。
（５）請求項４に記載のカラー画像処理装置は更に、パラメータ設定手段により設定された調整パラメータを一括して記録または読み出し可能な第２記録装置を有してもよい。
（６）請求項１〜５のいずれか１項に記載のカラー画像処理装置において、色調調整手段は、ひとつの色空間内における画像データの処理の種類数が複数の場合、画像データの処理を常に同じ所定の順番に従って行うことが好ましい。
（７）請求項１〜３のいずれか１項に記載のカラー画像処理装置において、色調調整手段は、第１の色空間と第２の色空間のいずれか一方の色空間でカラーバランス処理を行い、他方の色空間で彩度補正処理と色相補正処理の少なくとも一方の処理を行うこともできる。
（８）請求項７に記載のカラー画像処理装置において、色調調整手段は、一方の色空間で明度補正処理を行うことが好ましい。
（９）請求項１〜３のいずれか１項に記載のカラー画像処理装置において、色調調整手段は、第１の色空間における画像データを第２の色空間における画像データに変換すると同時にガンマ補正処理を行うこともできる。
（１０）請求項１〜３のいずれか１項に記載のカラー画像処理装置は更に、色調調整手段により調整された画像データの画像を表示装置に表示させる表示制御手段を有してもよい。
（１１）請求項１０に記載のカラー画像処理装置において、表示制御手段は、色調調整手段により調整された画像データを表示装置用の色空間の画像データに変換する変換手段を含むことが好ましい。
（１２）請求項１〜３のいずれか１項に記載のカラー画像処理装置は更に、画像の印刷を指示する印刷指示手段と、印刷指示手段の指示に基づいて色調調整手段により色調の調整が行われた後の画像データに対応する画像を印刷装置に印刷させる印刷制御手段とを有してもよい。
（１３）本発明によるカラー画像処理プログラムを記録した記録媒体は、画像データを入力する処理と、画像データの色調を調整する際に参照する複数の調整パラメータを設定するパラメータ設定処理と、複数の調整パラメータの設定順番によらず調整パラメータに基づいて第１の色空間において画像データの第１色調調整を行う第１の色調調整処理と、第１の色調調整処理の後に複数の調整パラメータの設定順番によらず調整パラメータに基づいて第１の色空間とは異なる第２の色空間において画像データの第２色調調整を行う第２の色調調整処理とをコンピュータ装置に実行させるプログラムが記録される。
（１４）請求項１３に記載のカラー画像処理プログラムを記録した記録媒体において、指示に応じて複数の調整パラメータの少なくとも１つを更新するパラメータ更新処理を更に実行させることが好ましい。この場合の第１の色調調整処理および第２の色調調整処理は、調整パラメータを更新した場合に更新後の調整パラメータを含む複数の調整パラメータに基づいて、画像データの色調調整を行わせるとよい。
（１５）請求項１３に記載のカラー画像処理プログラムを記録した記録媒体において、第１の色調調整処理前の画像データをコピーする画像データコピー処理と、指示に応じて複数の調整パラメータの少なくとも１つを更新するパラメータ更新処理とを更に実行させることが好ましい。この場合の第１の色調調整処理は、パラメータ更新処理で第１の色調調整処理に関する調整パラメータを更新した場合に更新後の調整パラメータを含む複数の調整パラメータに基づいて、コピーした画像データの第１色調調整を行わせるとよい。
（１６）請求項１４または１５に記載のカラー画像処理プログラムを記録した記録媒体において、パラメータ設定処理で設定した調整パラメータを記録する第１の記録処理を更に実行させることが好ましい。この場合のパラメータ更新処理は、第１の記録処理で記録した調整パラメータを更新させるとよい。
（１７）請求項１６に記載のカラー画像処理プログラムを記録した記録媒体において、パラメータ設定処理により設定した調整パラメータを一括して記録する第２の記録処理または一括して読み出す読み出し処理を更に実行させることが好ましい。
（１８）請求項１３〜１７のいずれか１項に記載のカラー画像処理プログラムを記録した記録媒体において、第１の色調調整処理および第２の色調調整処理は、色調調整処理の種類数が複数の場合、色調調整処理を常に同じ所定の順番に従って行わせるとよい。
（１９）請求項１３〜１５のいずれか１項に記載のカラー画像処理プログラムを記録した記録媒体において、第１の色調調整処理および第２の色調調整処理のいずれか一方の色調調整処理でカラーバランス処理を行い、他方の色調調整処理で彩度補正処理と色相補正処理の少なくとも一方の処理を行わせることが好ましい。
（２０）請求項１９に記載のカラー画像処理プログラムを記録した記録媒体において、第１の色調調整処理および第２の色調調整処理の一方の色調調整処理で明度補正処理を行わせることが好ましい。
（２１）請求項１３〜１５のいずれか１項に記載のカラー画像処理プログラムを記録した記録媒体において、第２の色調調整処理は、第１の色空間における画像データを第２の色空間における画像データに変換すると同時にガンマ補正処理を行わせることが好ましい。
（２２）請求項１３〜１５のいずれか１項に記載のカラー画像処理プログラムを記録した記録媒体において、第１および第２の色調調整処理後の画像データの画像を表示装置に表示させる表示制御処理を更に実行させることが好ましい。
（２３）請求項２２に記載のカラー画像処理プログラムを記録した記録媒体において、表示制御処理は、第１および第２の色調調整処理後の画像データを表示装置用の色空間の画像データに変換する変換処理を含めることが好ましい。
（２４）請求項１３〜１５のいずれか１項に記載のカラー画像処理プログラムを記録した記録媒体において、画像の印刷指示を入力する印刷指示入力処理と、印刷指示に基づいて第１および第２の色調調整処理後の画像データに対応する画像を印刷装置に印刷させる印刷制御処理とを更に実行させることが好ましい。
【手続補正６】
【補正対象書類名】明細書
【補正対象項目名】００１７
【補正方法】削除
【補正の内容】
【手続補正７】
【補正対象書類名】明細書
【補正対象項目名】００７０
【補正方法】削除
【補正の内容】
【手続補正８】
【補正対象書類名】明細書
【補正対象項目名】００７１
【補正方法】変更
【補正の内容】
【００７１】
【発明の効果】
以上に説明したように、
（１）本発明によるカラー画像処理装置では、色調調整用の複数の調整パラメータの設定値と、これら調整パラメータに基づく色調調整とを常に一義的に対応させることができる。
（２）本発明によるカラー画像処理プログラムを記録した記録媒体では、色調調整用の複数の調整パラメータの設定値と、これら調整パラメータに基づく色調調整とを常に一義的に対応させるカラー画像処理をコンピュータ装置に行わせることができる。